【手続補正書】
【提出日】平成22年5月24日(2010.5.24)
【手続補正１】
【補正対象書類名】特許請求の範囲
【補正対象項目名】全文
【補正方法】変更
【補正の内容】
【特許請求の範囲】
【請求項１】
印刷ジョブのログ情報を管理するログ情報管理装置に接続されて印刷ログ管理システムを構成する情報処理装置であって、
印刷ジョブのログ情報を、印刷データに基づいて生成するログ生成手段と、
前記ログ情報を前記ログ情報管理装置に送信するログ送信手段と、
前記ログ情報管理装置との間の応答時間が第１基準値以上の場合には、前記印刷データの出力完了後に前記ログ情報を前記ログ送信手段により送信し、前記応答時間が前記第１基準値未満の場合には、前記印刷データの出力と並行して前記ログ情報の少なくとも一部を前記ログ送信手段により送信するログ制御手段と
を備えることを特徴とする情報処理装置。
【請求項２】
前記ログ制御手段は、さらに、前記応答時間が、前記第１基準値よりも小さい第２基準値以上か否か判定し、
前記応答時間が前記第１基準値未満であり、かつ前記第２基準値以上の場合には、前記印刷データの出力と並行して印刷ジョブの発行元及び所有者を示す情報を含む第１ジョブログ情報を送信し、その他のログ情報を前記印刷データの出力完了後に送信し、
前記応答時間が前記第２基準値未満の場合には、前記印刷データの出力と並行して前記ログ情報を送信することを特徴とする請求項１に記載の情報処理装置。
【請求項３】
前記応答時間は、前記ログ情報管理装置に対して一定量のログ情報を送信した際の平均応答時間であることを特徴とする請求項１又は２に記載の情報処理装置。
【請求項４】
印刷ジョブのログ情報を管理するログ情報管理装置に接続されて印刷ログ管理システムを構成する情報処理装置であって、
印刷ジョブのログ情報を、印刷データに基づいて生成するログ生成手段と、
前記ログ情報を前記ログ情報管理装置に送信するログ送信手段と、
ログインユーザの権限が第１水準以上の場合には、前記印刷データの出力完了後に前記ログ情報を前記ログ送信手段により送信し、前記権限が前記第１水準未満の場合には、前記印刷データの出力と並行して前記ログ情報の少なくとも一部を前記ログ送信手段により送信するログ制御手段と
を備えることを特徴とする情報処理装置。
【請求項５】
前記ログ制御手段は、さらに、前記権限が、前記第１基準よりも低い第２水準以上か否か判定し、
前記権限が前記第１水準未満であり、かつ前記第２水準以上の場合には、前記印刷データの出力と並行して、印刷ジョブの発行元及び所有者を示す情報を含む第１ジョブログ情報を送信し、その他のログ情報を前記印刷データの出力完了後に送信し、
前記権限が前記第２水準未満の場合には、前記印刷データの出力と並行して前記ログ情報を送信することを特徴とする請求項４に記載の情報処理装置。
【請求項６】
前記ログ生成手段は、印刷ジョブの発行元及び所有者を示す情報を含む第１ジョブログ情報と、ページごとの印刷データの内容を示す情報を含むコンテンツログ情報と、印刷結果を示す情報を含む第２ジョブログ情報とを生成し、
前記ログ制御手段は、前記コンテンツログ情報を前記印刷データの出力と並行して送信する場合には、ページごとに、該ページのコンテンツログの送信と印刷データの出力とを行い、
前記コンテンツログ情報を前記印刷データの出力完了後に送信する場合には、印刷ジョブに含まれる全ページについて印刷データの出力が完了した後で、全ページのコンテンツログを送信することを特徴とする請求項１または４に記載の情報処理装置。
【請求項７】
印刷ジョブのログ情報を管理するログ情報管理装置に接続されて印刷ログ管理システムを構成する情報処理装置の制御方法であって、
印刷ジョブのログ情報を、印刷データに基づいて生成するログ生成工程と、
前記ログ情報管理装置との間の応答時間が第１基準値以上の場合には、前記印刷データの出力完了後に前記ログ情報を前記ログ情報管理装置に送信し、前記応答時間が前記第１基準値未満の場合には、前記印刷データの出力と並行して前記ログ情報の少なくとも一部を前記ログ情報管理装置に送信するログ制御工程と
を有することを特徴とする情報処理装置の制御方法。
【請求項８】
前記ログ制御工程では、さらに、前記応答時間が、前記第１基準値よりも小さい第２基準値以上か否か判定し、
前記応答時間が前記第１基準値未満であり、かつ前記第２基準値以上の場合には、前記印刷データの出力と並行して印刷ジョブの発行元及び所有者を示す情報を含む第１ジョブログ情報を送信し、その他のログ情報を前記印刷データの出力完了後に送信し、
前記応答時間が前記第２基準値未満の場合には、前記印刷データの出力と並行して前記ログ情報を送信することを特徴とする請求項７に記載の情報処理装置の制御方法。
【請求項９】
印刷ジョブのログ情報を管理するログ情報管理装置に接続されて印刷ログ管理システムを構成する情報処理装置の制御方法であって、
印刷ジョブのログ情報を、印刷データに基づいて生成するログ生成工程と、
ログインユーザの権限が第１水準以上の場合には、前記印刷データの出力完了後に前記ログ情報を前記ログ情報管理装置に送信し、前記権限が前記第１水準未満の場合には、前記印刷データの出力と並行して前記ログ情報の少なくとも一部を前記ログ情報管理装置に送信するログ制御工程と
を有することを特徴とする情報処理装置の制御方法。
【請求項１０】
前記ログ制御工程では、さらに、前記権限が、前記第１基準よりも低い第２水準以上か否か判定し、
前記権限が前記第１水準未満であり、かつ前記第２水準以上の場合には、前記印刷データの出力と並行して、印刷ジョブの発行元及び所有者を示す情報を含む第１ジョブログ情報を送信し、その他のログ情報を前記印刷データの出力完了後に送信し、
前記権限が前記第２水準未満の場合には、前記印刷データの出力と並行して前記ログ情報を送信することを特徴とする請求項９に記載の情報処理装置の制御方法。
【請求項１１】
請求項１乃至６のいずれか１項に記載の情報処理装置における各手段としてコンピュータを機能させるためのプログラム。
【手続補正２】
【補正対象書類名】明細書
【補正対象項目名】０００６
【補正方法】変更
【補正の内容】
【０００６】
上述した課題を解決するために、本発明は以下の構成を備える。すなわち、印刷ジョブのログ情報を管理するログ情報管理装置に接続されて印刷ログ管理システムを構成する情報処理装置であって、
印刷ジョブのログ情報を、印刷データに基づいて生成するログ生成手段と、
前記ログ情報を前記ログ情報管理装置に送信するログ送信手段と、
前記ログ情報管理装置との間の応答時間が第１基準値以上の場合には、前記印刷データの出力完了後に前記ログ情報を前記ログ送信手段により送信し、前記応答時間が前記第１基準値未満の場合には、前記印刷データの出力と並行して前記ログ情報の少なくとも一部を前記ログ送信手段により送信するログ制御手段とを備える。
【手続補正３】
【補正対象書類名】明細書
【補正対象項目名】０００７
【補正方法】変更
【補正の内容】
【０００７】
さらに、他の側面によれば、本発明は以下の構成を備える。すなわち、印刷ジョブのログ情報を管理するログ情報管理装置に接続されて印刷ログ管理システムを構成する情報処理装置であって、
印刷ジョブのログ情報を、印刷データに基づいて生成するログ生成手段と、
前記ログ情報を前記ログ情報管理装置に送信するログ送信手段と、
ログインユーザの権限が第１水準以上の場合には、前記印刷データの出力完了後に前記ログ情報を前記ログ送信手段により送信し、前記権限が前記第１水準未満の場合には、前記印刷データの出力と並行して前記ログ情報の少なくとも一部を前記ログ送信手段により送信するログ制御手段とを備える。